(57)【要約】【課題】第１，第２吸込パイプ間のシール性や第１，第２吸込パイプ同士の伸縮時の摺動性が確保できると共に、第２吸込パイプの内周面に付着した塵埃が第１，第２吸込パイプ間の隙間に入り込むのを未然に防止できる吸込パイプを備える電気掃除機を提供すること。【解決手段】第１吸込パイプ（小径吸込パイプ２３）の一端部２３ａを第２吸込パイプ（大径吸込パイプ２２）の一端部２２ａ１から内部に所定範囲内で進退移動自在に挿入した伸縮吸込パイプ２１を備えている。しかも、前記第２吸込パイプ（大径吸込パイプ２２）の一端部２２ａ１に前記第１吸込パイプ（小径吸込パイプ２３）との間の気密性を確保するシール部材（シールリング４３）が設けられていると共に、前記第１吸込パイプ（小径吸込パイプ２３）の一端部２３ａの外周面に前記第２吸込パイプ（大径吸込パイプ２２）の内面に摺接するブラシ毛５４が突設されている。【選択図】図４
2008136613.tif 000002
【特許請求の範囲】
【請求項１】
第１吸込パイプの一端部を第２吸込パイプの一端部から内部に所定範囲内で進退移動自在に挿入した伸縮吸込パイプを備える電気掃除機において、
前記第２吸込パイプの一端部に前記第１吸込パイプとの間の気密性を確保するシール部材が設けられていると共に、前記第１吸込パイプの一端部の外周面に前記第２吸込パイプの内面に摺接するブラシ毛が突設されていることを特徴とする電気掃除機。
【発明の詳細な説明】
【技術分野】
【０００１】
この発明は、第１吸込パイプの一端部を第２吸込パイプ内に所定範囲内で進退移動自在に挿入した伸縮吸込パイプを備える電気掃除機に関するものである。
【背景技術】
【０００２】
また、従来の電気掃除機としては、集塵室及びこの集塵室に吸込負圧を作用させる掃除機本体と、この集塵室に一端部が連通するように掃除機本体に接続された集塵ホースと、この集塵ホースの他端部に設けられた手元操作パイプと、この手元操作パイプに着脱可能に接続された延長パイプ（延長管）と、この延長パイプに着脱可能に接続された吸込口体等を備えるキャニスタータイプのものが知られている（例えば、特許文献１参照）。
【０００３】
また、電気掃除機としては、縦型の掃除機本体の下端部に吸込口体を設け、掃除機本体の集塵室に接続した集塵ホースに手元操作パイプを設け、この手元操作パイプに延長パイプを接続し、この延長パイプを掃除機本体に上方に突出するように着脱可能に取り付けて、この延長パイプ及び手元操作パイプを掃除機本体の操作に用いるようにしたアップライト型電気掃除機も知られている（例えば、特許文献２参照）。
【０００４】
ところで、電気掃除機の延長パイプには、第１吸込パイプ（内管）の一端側を第２吸込パイプ（外管）内に所定範囲内で移動自在に挿入することにより、第１，第２吸込パイプを伸縮自在に接続した伸縮吸込パイプも知られている（例えば、特許文献１参照）。
【特許文献１】特開２００４−８２３９号公報
【特許文献２】特開２００５−１８５５８４号公報
【発明の開示】
【発明が解決しようとする課題】
【０００５】
このような伸縮吸込パイプにおいては、第１吸込パイプの外周面と第２吸込パイプの内周面との間に隙間が形成されるので、第１，第２吸込パイプ間のシール性や第１，第２吸込パイプ同士の伸縮時の摺動性が確保できるのが望ましい。
【０００６】
また、伸縮吸込パイプにおいては、電気掃除機の縦置き収納時に延長パイプが縦置きになるような場合に、第２吸込パイプの内周面に付着した塵埃が第１，第２吸込パイプ間の隙間に入り込むと、第１，第２吸込パイプ同士の伸縮摺動性が悪くなることも考えられる。
【０００７】
そこで、この発明は、第１，第２吸込パイプ間のシール性や第１，第２吸込パイプ同士の伸縮時の摺動性が確保できると共に、第２吸込パイプの内周面に付着した塵埃が第１，第２吸込パイプ間の隙間に入り込むのを未然に防止できる伸縮吸込パイプを備える電気掃除機を提供することを目的とするものである。
【課題を解決するための手段】
【０００８】
この目的を達成するため、この発明は、第１吸込パイプの一端部を第２吸込パイプの一端部から内部に所定範囲内で進退移動自在に挿入した伸縮吸込パイプを備える電気掃除機において、前記第２吸込パイプの一端部に前記第１吸込パイプとの間の気密性を確保するシール部材が設けられていると共に、前記第１吸込パイプの一端部の外周面に前記第２吸込パイプの内面に摺接するブラシ毛が突設されている電気掃除機としたことを特徴とする。
【発明の効果】
【０００９】
この構成によれば、第１，第２吸込パイプ同士の伸縮時に、第１吸込パイプの一端部のブラシ毛が第２吸込パイプの内周面に対して滑らかに摺動しながら、第１吸込パイプの一端部を第２吸込パイプの内周面に対して支持させると共に、第２吸込パイプの内周面に付着した塵埃が第１吸込パイプの一端部のブラシ毛により第１，第２吸込パイプ間の隙間に入り込むのを阻止することになる。
【００１０】
この結果、第１，第２吸込パイプ間のシール性や第１，第２吸込パイプ同士の伸縮時の摺動性が確保できると共に、第２吸込パイプの内周面に付着した塵埃が第１，第２吸込パイプ間の隙間に入り込むのを未然に防止できる。
【発明を実施するための最良の形態】
【００１１】
以下、この発明の実施の形態を図面に基づいて説明する。
[構成]
図１において、１はアップライト型（縦型）の電気掃除機の掃除機本体である。この掃除機本体１は本体ケース２を有し、この本体ケース２は前ケース３と後ケース４を有する。この前ケース３の上端部には上方に開口するパイプ嵌合穴３ａが形成され、前ケース３の上下方向の中間部には前側及び側方に開放する容器収納凹部５が形成されている。
【００１２】
この容器収納凹部５には、集塵容器６が着脱可能に装着されている。この集塵容器６は集塵室６ａを有し、この集塵室６ａはネットフィルタ７，プリーツフィルタ等の細塵フィルタ８を介して電動送風機９の吸込開口９ａに連通している。これにより、電動送風機９の吸込負圧が細塵フィルタ８及びネットフィルタ７を介して集塵室６ａに作用するようになっている。
【００１３】
尚、ネットフィルタ７及び細塵フィルタ８は、通常の着脱に際しては集塵室６ａの底部を閉成する底蓋として機能し、塵埃を捨てるときには集塵室６ａの底部を下方に開くことを可能に集塵容器６に取り付けられている。この開閉機構としては、周知の構造を採用できるので、その詳細な説明は省略する。
【００１４】
また、本体ケース２内には、上下に延びる吸込パイプ１０が配設されている。この吸込パイプ１０は、下吸込パイプ部１１と、上吸込パイプ部１２を有する。この下吸込パイプ１１は、前後に延びる前後パイプ部１１ａと、前後パイプ部１１ａの後端から下方に向けて折曲された縦パイプ部１１ｂを有する。この前後パイプ部１１ａの前端は、容器収納凹部５に集塵容器６を装着したときに、集塵容器６の集塵室６ａに連通するようになっている。
【００１５】
更に、縦パイプ部１１ｂの下端部は、本体ケース２の下端部に固定されていると共に、本体ケース２の下端に開口させられている。更に、上吸込パイプ部１２の下端部は前後パイプ部１１ａの前端部近傍に接続されている。
（吸込口体）
また、本体ケース２の下方には、吸込口体１３が配設されている。この吸込口体１３は、吸込口本体１４と、吸込口本体１４の後縁部に前後に起倒自在に装着された接続パイプ１５を有する。この接続パイプ１５は縦パイプ部１１ｂの下端部に着脱可能に嵌合接続されている。
【００１６】
しかも、図２に示したように吸込口本体１４内には吸込室１６が形成され、吸込室１６の吸込開口１６ａが吸込口本体１４の下面に開口している。この吸込室１４は吸込風路１７を介して接続パイプ１５に連通させられるようになっている。
【００１７】
また、接続パイプ２１の下端部には、図２に示したように、シャッター１８が一体に取り付けられている。このシャッター１８は、接続パイプ１５を後方に傾斜させたときに吸込風路１７と接続パイプ１５を連通させ、接続パイプ１５を起立させたときに吸込風路１７と接続パイプ１５との連通を遮断するようになっている。
（延長パイプ）
更に、図１に示したように、上吸込パイプ部１２には集塵ホース１９の一端部が接続されている。この集塵ホース１９の他端部には手元操作パイプ２０が手元操作部として接続固定され、この手元操作パイプ２０には伸縮可能な延長パイプ（伸縮吸込パイプ）２１が取り付けられている。この延長パイプ２１は、図１に示したように大径吸込パイプ（第２吸込パイプ）２２と、小径吸込パイプ（第１吸込パイプ）２３を有する。２４はスキマノズル２４である。
＜大径吸込パイプ２２＞
この大径吸込パイプ２２は、図８に示したように、大径パイプ部２２ａと、この大径パイプ部２２ａの一端部２２ａ１とは反対側の他端部２２ａ２に連設された小径パイプ部２２ｂを有する。この小径パイプ部２２ｂを手元操作パイプ２０に着脱可能に嵌着することにより、大径吸込パイプ２２は図１のように手元操作パイプ２０に取り付けられる。
【００１８】
また、図８に示したように、大径パイプ部２２ａの外周面には、両端まで延びる溝部２５，２５が周方向に間隔をおいて形成されていると共に、この溝部２５，２５間の周方向の中央に大径パイプ部２２ａの長手方向両端まで延びる膨出突部２６が形成されている。また、この膨出突部２６内には係合溝２７が形成されている。この係合溝２７内には、図４に示したように大径パイプ部２２ａの一端部２２ａ１に近接した位置から他端部側に向けて係止突起２７ａが形成されている。
【００１９】
更に、膨出突部２６の一端部２６ａにはボス２８及び挿通孔２９が形成されている。また、膨出突部２６には挿通孔２９に近接させて突片３０，３０が幅方向両側部に形成され、突片３０，３０には軸係合切欠３１，３１が形成されている。この膨出突部２６の他端部２６ｂ側には軸状の係合突起３２が形成されている。
【００２０】
また、図８において、３３はロック体（ロック部材）、３４はロック体３３を操作するロック解除ボタンである。このロック体３３は図３に示したように挿通孔２９に挿通されている。また、ロック体３３には図３に示したように係合凹部３３ａが形成され、この係合凹部３３ａにはロック解除ボタン３４と一体のレバー３４ａの先端部が係合している。
【００２１】
このレバー３４ａの両側部には、図８に示したように回動軸３５，（他方図示せず）が形成されている。そして、この回動軸３５，（他方図示せず）を図８の軸係合切欠３１，３１に係合させることにより、ロック解除ボタン３４は、回動軸３５，（他方図示せず）を中心に回動できるようになっている。また、図３に示したようにロック解除ボタン３４と膨出突部２６との間にはスプリング３６が介装されている。
＜カバー＞
更に、膨出突部２６は図３〜図５に示したようにカバー３７により覆われている。このカバー３７には、図４，図８に示したようにネジ挿通孔３８，挿通孔３９が形成されていると共に、図３，図４に示したように係合突起３２に嵌合する筒部４０が形成されている。このカバー３７は、ネジ挿通孔３８に挿通したネジ４１を大径吸込パイプ２２のボス２８に螺合することにより、大径吸込パイプ２２に固定されている。また、この状態ではロック解除ボタン３４が挿通孔３９から突出している。
＜シール＞
また、大径パイプ部２２ａの一端部２２ａ１内には、シールストップリング４２，シールリング４３，シールパイプ４４がこの順に嵌合されている。そして、シールストップリング４２には図８に示したように係合突起４２ａ，４２ａが形成されている。この係合突起４２ａ，４２ａ間には係合凹部４２ｂが形成されている。この係合突起４２ａは、図４に示したように大径パイプ部２２ａ内、即ち係合溝２７の側部に突設した係止突起２７ａに係合していて、シールストップリング４２が大径パイプ部２２ａの他端部２２ａ２側に移動するのを規制している。
【００２２】
更に、図３，図４に示したように、シールパイプ４４はネジ４１により大径パイプ部２２ａの一端部２２ａ１内に固定されている。そして、シールリング４３は、このシールパイプ４４とシールストップリング４２との間にシールパイプ４４の長手方向に移動しないように保持（挟持）されている。
＜小径吸込パイプ２３＞
また、小径吸込パイプ２３の一端部２３ａの外周面には、図３，図４，図８に示したようにストッパ（突起）４５が形成されている。このストッパ４５は、図４に示したように大径吸込パイプ２２の係合溝２７に係合させられている。そして、ストッパ４５が前述した係合突起４２ａ，４２ａの間の係合凹部４２ｂに当接することで、小径吸込パイプ２３が大径吸込パイプ２２から抜け出ることは防止される。更に、小径吸込パイプ２３の外周面の一端部２３ａ近傍及び中間部には図４，図８に示したように係止穴４６，４７が形成されている。更に、小径吸込パイプ２３は、図４に示したように、一端部２３ａの側部に形成した係止孔４８と、一端部２３ａの下部に形成した係止孔４９を有する。
【００２３】
そして、小径吸込パイプ２３は、図３のようにシールパイプ４４，シールリング４３及びシールストップリング４２に摺動自在に嵌合されていると共に、一端部２３ａが大径吸込パイプ２２内に進退移動自在に挿入されている。この小径吸込パイプ２３の他端部（外端部）には叙述したスキマノズル２４が着脱可能に装着されている。
【００２４】
尚、図１において、小径吸込パイプ２３の他端側（外端側）は前ケース３に設けたパイプ嵌合穴３ａ内に着脱可能に嵌合されている。この状態では、手元操作パイプ２０のハンドル２０ａを掴んで吸込口体１３を前後に移動操作することができる。
【００２５】
また、小径吸込パイプ２３をスキマノズル２４と一体にパイプ嵌合穴３ａから抜き取る一方、吸込口体１３の接続パイプ１５を起立させて吸込風路１７と接続パイプ１５との連通をシャッター１８で遮断させることにより、スキマノズル２４を利用することができる。尚、２ａは本体ケース２の上端に設けられた本体持ち運び用の把手である。
＜スペーサ＞
更に、大径吸込パイプ２２は、外観デザインを向上させるために、ハンドル２０ａを前方に向けたときの横方向の径を前後方向の径より大きくしている。このため、小径吸込パイプ２３と大径吸込パイプ２２との間には図６，図７に示したように大きな隙間５０が形成されている。
【００２６】
この吸込パイプ２２，２３を備える延長パイプ２１やスキマノズル２４等を用いて、壁際や狭い場所の清掃を行って、電動送風機９を停止させたときに、吸い込まれた塵埃に砂等の比較的重い塵埃等が大径吸込パイプ２２内に移動していた場合、この塵埃が隙間５０内に落下して入り込む虞がある。あるいは、大径吸込パイプ２２の内周面に塵埃が付着していた場合において、延長パイプ２１を掃除機本体２のパイプ嵌合穴３ａに嵌着したときや、この状態で掃除機本体２を移動させるときの振動等により大径吸込パイプ２２の内周面に付着していた塵埃が剥離して落下し、この塵埃が隙間５０内に入り込むことも考えられる。
【００２７】
これを防止するために、図４に示したように小径吸込パイプ２３の一端部（小径吸込パイプ２３の大径吸込パイプ２２内の端部）２３ａ側にはスペーサ５１が配設されている。このスペーサ５１は、図９，図１２，図１３に示したように、一端部２３ａに嵌合する円形の内周面５１ａと、一端部２３ａの部分において隙間５０を埋めるように大径パイプ部２２ａの内周面近傍まで厚肉に形成されたスペーサ側部５１ｂ，５１ｂから、略Ｕ字状に形成されている。
【００２８】
そして、スペーサ側部５１ｂ，５１ｂの端部には図１０〜図１３に示したように係止孔４８，４８に着脱可能に嵌合する係止突起５２，５２が形成され、円形の内周面５１ａの底部には係止孔４９に係合する係止突起５３が形成されている。
【００２９】
このようなスペーサ５１の外周面には、図４，図１１〜図１４に示したように、植毛により起毛させたブラシ毛５４が設けられている。このブラシ毛５４は、図４，図１２，図１３に示したように、大径パイプ部２３ａの内周面に摺接移動可能に接触している。
[作用]
次に、このような構成の電気掃除機の作用を説明する。
【００３０】
この電気掃除機において、図示しないスイッチにより電動送風機９を作動させると、電動送風機９の吸込負圧が細塵フィルタ８及びネットフィルタ７を介して集塵室６ａに作用する。この吸込負圧は、吸込パイプ１０の下吸込パイプ部１１を介して吸込口体１３の接続パイプ１５内に作用すると共に、下吸込パイプ部１１の前後パイプ部１１ａ及び上吸込パイプ部１２，集塵ホース１９，手元操作パイプ２０，延長パイプ２１を介してスキマノズル２４に作用する。
【００３１】
ところで、吸込口体１３を用いて清掃面の清掃を行う場合には、小径吸込パイプ２３の他端側（外端側）を前ケース３に設けたパイプ嵌合穴３ａ内に嵌合した状態で使用する。この状態では、小径吸込パイプ２３が前ケース３に設けたパイプ嵌合穴３ａ内に気密に嵌合されるようになっている。この気密性は、パイプ嵌合穴３ａの内周面にシールリングを設けておくか、小径吸込パイプ２３の外周面にシールリングを装着しておくことにより達成できる。
【００３２】
また、この状態では、手元操作パイプ２０のハンドル２０ａを掴んで吸込口体１３を前後に移動操作する。この移動操作に伴い、掃除機本体１及び吸込口体１３の接続パイプ１５を後方に傾斜させたとき、吸込風路１７と接続パイプ１５が連通する。
【００３３】
従って、この状態で電動送風機９を作動させると、吸込口体１３の接続パイプ１５に作用する吸込負圧が吸込風路１７を介して吸込室１６に作用する。そして、吸込口体１３の移動に伴い、清掃面の塵埃が空気と共に吸込開口１６ａを介して吸込室１６に吸い込まれる。
【００３４】
そして、吸込室１６に吸い込まれた塵埃及び空気は、吸込風路１７，接続パイプ１５，下吸込パイプ部１１を介して集塵容器６の集塵室６ａに吸い込まれる。この吸い込まれた空気は、ネットフィルタ７及び細塵フィルタ８を透過する。この際、通常の塵埃はネットフィルタ７に捕集され、ネットフィルタ７を透過した細塵は細塵フィルタ８に捕集される。尚、細塵フィルタ８を透過した空気は、電動送風機９に吸い込まれ、内部を冷却した後に外部に排気される。
【００３５】
また、スキマノズル２４を使用する場合には、掃除機本体１及び吸込口体１３の接続パイプ１５を起立させて、吸込風路１７と接続パイプ１５との連通を遮断させる。一方、延長パイプ２１の小径吸込パイプ２３をスキマノズル２４と一体にパイプ嵌合穴３ａから抜き取る。図４では、ロック体３３が係止穴４７に係合して、延長パイプ２１が縮小状態となっている。
【００３６】
この延長パイプ２１において、ロック解除ボタン３４をスプリング３６のバネ力に抗して押し下げて、ロック体３３を図４の係止穴４７から抜き取り、小径吸込パイプ２３を大径吸込パイプ２２から引き抜く方向に摺動させる。これにより、大径吸込パイプ２２と小径吸込パイプ２３からなる延長パイプ２１が伸長する。そして、ロック体３３を図４の係止穴４６に係合させると、延長パイプ２１は最大に伸長した状態となる。
【００３７】
また、逆の操作をすることにより、延長パイプ２１は最小に縮小した状態となる。このような伸縮に伴い、スペーサ５１のブラシ毛５４が大径吸込パイプ２２内周面を摺接移動するので、小径吸込パイプ２３の一端部２３ａは大径吸込パイプ２２に対して滑らかに移動できる。
【００３８】
そして、通常は、延長パイプ２１の小径吸込パイプ２３をパイプ嵌合穴３ａから抜き取るとともに、延長パイプ２１を伸長させた状態で使用する。この状態で、電動送風機９を作動させ、電動送風機９の吸込負圧をスキマノズル２４に作用させ、ハンドル２０ａを掴んでスキマノズル２４により、壁際や狭い場所の清掃を行う。
【００３９】
この際、スキマノズル２４に吸い込まれる塵埃及び空気は、延長パイプ２１，手元操作パイプ２０，集塵ホース１９，上吸込パイプ部１２及び下吸込パイプ部１１の前後パイプ部１１ａを介して集塵容器６の集塵室６ａに吸い込まれる。
【００４０】
この吸い込まれた空気は、ネットフィルタ７及び細塵フィルタ８を透過する。この際、通常の塵埃はネットフィルタ７に捕集され、ネットフィルタ７を透過した細塵は細塵フィルタ８に捕集される。尚、細塵フィルタ８を透過した空気は、電動送風機９に吸い込まれ、内部を冷却した後に外部に排気される。
【００４１】
このスキマノズル２４による清掃が終了後は、延長パイプ２１を縮小させる。この際、隙間５０以外の部分において大径パイプ部２２ａの内周面に付着した塵埃は小径吸込パイプ２３の一端部２３ａに設けたスペーサ５１のブラシ毛５４により剥離させられるが、このスペーサ５１とブラシ毛５４により隙間５０側には浸入できない。このように延長パイプ２１を縮小した状態で、延長パイプ２１の小径吸込パイプ２３をスキマノズル２４と一体にパイプ嵌合穴３ａに嵌合する。
【００４２】
この際、延長パイプ２１の隙間５０より上方に位置して、大径パイプ部２２ａの内周面に付着した塵埃が剥離して落下しても、スペーサ５１とブラシ毛５４により隙間５０側には浸入できない。
【００４３】
以上説明したように、この発明の実施の形態の電気掃除機は、第１吸込パイプ（小径吸込パイプ２３）の一端部２３ａを第２吸込パイプ（大径吸込パイプ２２）の一端部２２ａ１から内部に所定範囲内で進退移動自在に挿入した伸縮吸込パイプ２１を備えている。しかも、前記第２吸込パイプ（大径吸込パイプ２２）の一端部２２ａ１に前記第１吸込パイプ（小径吸込パイプ２３）との間の気密性を確保するシール部材（シールリング４３）が設けられていると共に、前記第１吸込パイプ（小径吸込パイプ２３）の一端部２３ａの外周面に前記第２吸込パイプ（大径吸込パイプ２２）の内面に摺接するブラシ毛５４が突設されている。
【００４４】
この構成によれば、第１，第２吸込パイプ（２３，２２）同士の伸縮時に、第１吸込パイプ（小径吸込パイプ２３）の一端部２３ａのブラシ毛５４が第２吸込パイプ（大径吸込パイプ２２）の内周面に対して滑らかに摺動しながら、第１吸込パイプ（小径吸込パイプ２３）の一端部２３ａを第２吸込パイプ（大径吸込パイプ２２）の内周面に対して支持させると共に、第２吸込パイプ（大径吸込パイプ２２）の内周面に付着した塵埃が第１吸込パイプ（小径吸込パイプ２３）の一端部２３ａのブラシ毛５４により第１，第２吸込パイプ（２３，２２）間の隙間５０に入り込むのを阻止することになる。
【００４５】
この結果、第１，第２吸込パイプ（２３，２２）間のシール性や第１，第２吸込パイプ（２３，２２）同士の伸縮時の摺動性が確保できると共に、第２吸込パイプ（大径吸込パイプ２２）の内周面に付着した塵埃が第１，第２吸込パイプ（２３，２２）間の隙間５０に入り込むのを未然に防止できる。
【図面の簡単な説明】
【００４６】
【図１】この発明に係る伸縮吸込パイプである延長パイプを備えるアップライト型電気掃除機の側面図である。
【図２】図１の吸込口体及び掃除機本体への接続部の断面図である。
【図３】図１の延長パイプをロック解除ボタンを通る部分で長手方向に断面したの断面図である。
【図４】図３の拡大説明図である。
【図５】図３のシール構造の拡大説明図である。
【図６】図３のＡ´−Ａ´線に沿う断面図である。
【図７】図６の拡大説明図である。
【図８】図１の延長パイプの分解斜視図である。
【図９】図４の要部を更に拡大して示した斜視図である。
【図１０】図３の小径吸込パイプの一端部の拡大側面図である。
【図１１】図１０の小径吸込パイプの一端部を端面側から見た斜視図である。
【図１２】図４のＡ２−Ａ２線に沿う断面図である。
【図１３】図４のＡ３−Ａ３線に沿う断面図である。
【図１４】（ａ）は図１０のスペーサの斜視図、（ｂ）は（ａ）のスペーサの左側面図、（ｃ）は（ｂ）の右側面図、（ｄ）は（ｃ）の平面図である。
【符号の説明】
【００４７】
２２・・・大径吸込パイプ（第２吸込パイプ）
２２ａ１・・・一端部
２３・・・小径吸込パイプ（第１吸込パイプ）
２３ａ・・・一端部
４３・・・シールリング（シール部材）
５４・・・ブラシ毛
【図１】
2008136613.tif 000003
【図２】
2008136613.tif 000004
【図３】
2008136613.tif 000005
【図４】
2008136613.tif 000006
【図５】
2008136613.tif 000007
【図６】
2008136613.tif 000008
【図７】
2008136613.tif 000009
【図８】
2008136613.tif 000010
【図９】
2008136613.tif 000011
【図１０】
2008136613.tif 000012
【図１１】
2008136613.tif 000013
【図１２】
2008136613.tif 000014
【図１３】
2008136613.tif 000015
【図１４】
2008136613.tif 000016